(57)【要約】【課題】互いに圧迫する現象を防止でき、書類寸断機がスムーズに稼動でき、また、書類を切断する効果が向上する書類寸断機ナイフフライホイール誘導切断シートを提供する。【解決手段】平面線形誘導切断シートの中心線の両側に、それぞれ、二つの平行する円筒形刃物ホイールのカッタアーバの間隔に対応するように、カッタアーバ貫設穴が形成され、二つのカッタアーバ貫設穴の適当な位置に、固定棒の間隔に対応するように、固定棒貫設穴が形成され、二つのカッタアーバ貫設穴の上方の中心線の部位に、面蓋の条形槽の両側槽壁が係合される係合口が形成され、係合口の底部に、紙類を切断する凹形刃部が設けられることを特徴とする。【選択図】図１
0003144300.tif 000002
【実用新案登録請求の範囲】
【請求項１】
平面線形誘導切断シートの中心線の両側に、それぞれ、二つの平行する円筒形刃物ホイールのカッタアーバの間隔に対応するように、カッタアーバ貫設穴が形成され、二つのカッターバ貫設穴の適当な位置に、固定棒の間隔に対応するように、固定棒貫設穴が形成され、二つのカッタアーバ貫設穴の上方の中心線の部位に、面蓋の条形槽の両側槽壁が係合される係合口が形成され、係合口の底部に、紙類を切断する凹形刃部が設けられる、
ことを特徴とする書類寸断機ナイフフライホイール誘導切断シート。
【請求項２】
誘導切断シート中心線の一側に、それぞれ、カッタアーバが径方向に嵌入するカッタアーバ嵌入口と固定棒が径方向に嵌入する固定棒嵌入口が形成されることを特徴とする請求項１に記載の書類寸断機ナイフフライホイール誘導切断シート。
【請求項３】
係合口の刃部が、単方向に傾斜する傾斜面を有する凹形刃部であることを特徴とする請求項１に記載の書類寸断機ナイフフライホイール誘導切断シート。
【請求項４】
係合口底部が、Ｖ形刃部であることを特徴とする請求項１に記載の書類寸断機ナイフフライホイール誘導切断シート。
【請求項５】
係合口底部が、Ｕ形刃部であることを特徴とする請求項１に記載の書類寸断機ナイフフライホイール誘導切断シート。
【考案の詳細な説明】
【技術分野】
【０００１】
本考案は、書類寸断機ナイフフライホイール誘導切断シートに関する。
【背景技術】
【０００２】
一般の書類寸断機ナイフフライホイールは、一対の逆方向に転動する円筒形刃物ホイールから構成される。円筒形刃物ホイールは、カッタアーバと複数のワッシャにより隔離されてカッタアーバに嵌設された刃部からなり、二つの円筒形刃物ホイールが並行に配列され、平行に、刃部フレームに実装され、二つの円筒形刃物ホイールに配列された各刃部が、それぞれ、対応して切断することにより、複数の書類寸断口が形成される。書類寸断機刃物ホイールが、案内された紙類を切断する時、所定の圧力を受けるため、書類寸断機で、高速に書類切断を作業する時、多い紙類が刃物ホイール切断口に巻き込まれると、並行に配列された二つの円筒形刃物ホイールの間において、互いに圧迫する現象が発生し、圧迫現象が発生すると、円筒形刃物ホイールの刃部が容易に断裂する。また、書類切断を作業する時、操作者が、切断しよう書類を書類寸断機面蓋の条形槽から導入し、機内において、高速に稼動する刃物ホイールで、導入された紙類を切断し、多すぎる紙類が導入されると、書類寸断機の面蓋条形槽が圧迫されて広くなり、条形槽が過度に広くなると、傷付く恐れがあり、安全的とは言えない。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、書類寸断機の面蓋条形槽が圧迫して広くなることを防止でき、また、刃物ホイールが互いに圧迫する現象を防止できる書類寸断機ナイフフライホイール誘導切断シートを提供する。
【課題を解決するための手段】
【０００５】
請求項１の考案は、平面線形誘導切断シートの中心線の両側に、それぞれ、二つの平行する円筒形刃物ホイールのカッタアーバの間隔に対応するように、カッタアーバ貫設穴が形成され、二つのカッタアーバ貫設穴の適当な位置に、固定棒の間隔に対応するように、固定棒貫設穴が形成され、二つのカッタアーバ貫設穴の上方の中心線の部位に、面蓋の条形槽の両側槽壁が係合される係合口が形成され、係合口の底部に、紙類を切断する凹形刃部が設けられることを特徴とする書類寸断機ナイフフライホイール誘導切断シートである。
【０００６】
請求項２の考案は、誘導切断シート中心線の一側に、それぞれ、カッタアーバが径方向に嵌入するカッタアーバ嵌入口と固定棒が径方向に嵌入する固定棒嵌入口が形成されることを特徴とする請求項１に記載の書類寸断機ナイフフライホイール誘導切断シートである。
【０００７】
請求項３の考案は、係合口の刃部が、単方向に傾斜する傾斜面を有する凹形刃部であることを特徴とする請求項１に記載の書類寸断機ナイフフライホイール誘導切断シートである。
【０００８】
請求項４の考案は、係合口底部が、Ｖ形刃部であることを特徴とする請求項１に記載の書類寸断機ナイフフライホイール誘導切断シートである。
【０００９】
請求項５の考案は、係合口底部が、Ｕ形刃部であることを特徴とする請求項１に記載の書類寸断機ナイフフライホイール誘導切断シートである。
【００１０】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１１】
図１と図２は、実施例１であり、金屬誘導切断シート１０の中心線の両側に、それぞれ、二つの平行する円筒形刃物ホイールのカッタアーバの間隔に対応するように、カッタアーバ貫設穴１１、１２が形成され、その一つのカッタアーバ貫設穴１２の開口端が、カッタアーバ嵌入口１２１であり、中段部位に、ネック部１２２であり、二つのカッタアーバ貫設穴１１、１２の下方に、それぞれ、固定棒の間隔に対応するように、固定棒貫設穴１３が形成され、二つのカッタアーバ貫設穴１１、１２の上方において、中心線部位に、面蓋の条形槽の両側槽壁が係合される係合口１５が形成され、係合口１５の底部に、中心線から一側による単方向に傾斜するに傾斜面を有するＶ形刃部１５１があり、これにより、紙類により刃部に受ける垂直力を低減でき、切断された屑が、刃部の一面に案内されて、スムーズに、カッタアーバの中間にある最も低い位置に落ちる。
【００１２】
図３は、誘導切断シート１０と面蓋３０の組立て関係概念図であり、誘導切断シート１０上のカッタアーバ貫設穴１１、１２により、誘導切断シート１０が、二つの円筒形刃物ホイールカッタアーバ２０、２１の中段部位（図４と図５を参照しながら）に実装し、即ち、平面線形誘導切断シート１０により、二つのカッタアーバ２０、２１が一体に設置され、その後、固定棒２２を固定棒貫設穴１３に貫設することにより、二つの円筒形刃物ホイールからなるナイフフライホイールが、底部バックス内の刃部フレーム（図に未表示）に実装され、また、条形槽１５が形成された面蓋３０を底部ボックス（図に未表示）に嵌設し、面蓋３０の条形槽３１内の両側槽壁３２の外側が、誘導切断シート１０の係合口１５に嵌入することにより、面蓋３０が、条形槽３１の槽壁３２により堅く固定される。
【００１３】
図６〜図１０は、誘導切断シート１０の其他実施例であり、図６の誘導切断シート１０は、二つのカッタアーバ貫設穴１２を有し、図７の誘導切断シート１０は、底部に、それぞれ、カッタアーバが径方向に嵌入されるカッタアーバ嵌入口１２１と、固定棒が径方向に嵌入される固定棒嵌入口１３１が形成され、図８の誘導切断シート１０の係合口１５の底部に、Ｕ形刃部１５１があり、図９の誘導切断シート１０の固定棒貫設穴１３が、カッタアーバ貫設穴１２の上方に位置し、図１０の誘導切断シート１０に、固定棒貫設穴がない。
【００１４】
誘導切断シートを実装する時、まず、誘導切断シート１０を貫設するように、予めに一つの円筒形刃物ホイールのカッタアーバ２０に実装し、その後、ナイフフライホイールと刃部フレームとを組み立てる時、カッタアーバ嵌入口１２１と固定棒嵌入口１３１により、径方向から、平行するもう一つの円筒形刃物ホイールのカッタアーバ２１を、誘導切断シート１０のもう一側にあるカッタアーバ貫設穴１１と固定棒貫設穴１３に嵌入する。これにより、便利に誘導切断シート１０を円筒形刃物ホイールに実装できる。
【００１５】
上記のように、本考案は、より進歩的かつより実用的で、法に従って実用新案登録請求を出願する。
【００１６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１７】
【図１】本考案の実施例１の構造概念図
【図２】第一図の平面構造概念図
【図３】本考案の誘導切断シートと面蓋配合との関係概念図
【図４】本考案の誘導切断シートをカッタアーバに実装する時の構造概念図
【図５】本考案の誘導切断シートをカッタアーバに実装する時の平面概念図
【図６】本考案の実施例２の平面概念図
【図７】本考案の実施例３の平面概念図
【図８】本考案の実施例４の平面概念図
【図９】本考案の実施例５の平面概念図
【図１０】本考案の実施例６の平面概念図
【符号の説明】
【００１８】
１０         誘導切断シート
１１、１２   カッタアーバ貫設穴
１２１       カッタアーバ嵌入口
１２２       ネック部
１３         固定棒貫設穴
１３１       固定棒嵌入口
１４         挟み突出
１５         係合口
１５１       刃部
２０、２１   カッタアーバ
２２         固定棒
３０         面蓋
３１         槽
３２         槽壁
【図１】
0003144300.tif 000003
【図２】
0003144300.tif 000004
【図３】
0003144300.tif 000005
【図４】
0003144300.tif 000006
【図５】
0003144300.tif 000007
【図６】
0003144300.tif 000008
【図７】
0003144300.tif 000009
【図８】
0003144300.tif 000010
【図９】
0003144300.tif 000011
【図１０】
0003144300.tif 000012